(57)【要約】      （修正有）【課題】所望の機能を有する液体の交換や補充が容易な水栓装置を提供する。【解決手段】水栓装置１は、湯水を吐水する吐水口２１ａと、吐水口２１ａの周囲に取り付けられ、物を載置可能な棚３と、内部に液体を収容可能な液体収容部４を棚３に取り付ける取付部と、液体収容部４に設けられ、液体収容部４内の液体の吐水及び止水を行う液体収容部吐水栓４２と、を備える。液体収容部４は、棚３の上面に取り付けられる。【選択図】図１
2020153084.tif 000002
【特許請求の範囲】
【請求項１】
湯水を吐水する吐水口と、
前記吐水口の周囲に取り付けられ、物を載置可能な棚と、
内部に液体を収容可能な液体収容部を前記棚に取り付ける取付部と、
前記液体収容部に設けられ、前記液体収容部内の前記液体の吐水及び止水を行う液体収容部吐水栓と、を備える水栓装置。
【請求項２】
前記液体収容部は、前記棚の上面に取り付けられる、請求項１に記載の水栓装置。
【請求項３】
前記液体収容部は、前記棚の下面に取り付けられる、請求項１に記載の水栓装置。
【請求項４】
前記取付部には、貫通孔が形成され、前記液体収容部から延びる液体吐出管が挿入されている、請求項１〜３のいずれか１項に記載の水栓装置。
【請求項５】
前記吐水口は、洗面化粧台の後壁部に設けられて湯水を吐水し、
前記棚は、前記後壁部に取り付けられている請求項１〜４のいずれか１項に記載の水栓装置。
【発明の詳細な説明】
【技術分野】
【０００１】
本発明は、水栓装置に関する。
【背景技術】
【０００２】
従来、住宅の洗面化粧台等の吐水口から、洗浄効果、美肌効果のある多機能の液体を供給できるように、湯水の供給路に電気分解を行う電解槽を設け、切換弁等により湯水と電気分解をした機能水を切り替えて浴槽やキッチン等に供給する技術が提案されている（例えば、特許文献１参照）。
【先行技術文献】
【特許文献】
【０００３】
【特許文献１】特開２００１−１９８１７４号公報
【発明の概要】
【発明が解決しようとする課題】
【０００４】
特許文献１に記載の技術では、機能水の生成設備が湯水の供給設備とともに形成されており、種類の異なる機能水を使用者の必要に応じて取り替えることができなかった。一方各種の機能を有する液体を吐水口の近傍に配置するためには、液体の交換や補充が必要となるが、その手間を簡易にすることが望まれていた。
【課題を解決するための手段】
【０００５】
本発明は、湯水を吐水する吐水口（例えば、後述の吐水口２１ａ）と、前記吐水口の周囲に取り付けられ、物を載置可能な棚（例えば、後述の棚３）と、内部に液体を収容可能な液体収容部（例えば、後述の液体収容部４）を前記棚に取り付ける取付部（例えば、後述の取付部３３）と、前記液体収容部に設けられ、前記液体収容部内の前記液体の吐水及び止水を行う液体収容部吐水栓（例えば、後述の液体収容部吐水栓４２）と、を備える水栓装置に関する。
【図面の簡単な説明】
【０００６】
【図１】第１実施形態に係る洗面化粧台を正面側から見た斜視図である。
【図２】第１実施形態に係る棚の斜視図である。
【図３】第２実施形態に係る棚の斜視図である。
【発明を実施するための形態】
【０００７】
以下、本発明の実施形態について図面を参照しながら詳細に説明する。図１は、第１実施形態に係る洗面化粧台１００を正面側から見た斜視図である。図１に示すように、洗面化粧台１００は、ボウル部１１０と、キャビネット１２０と、水栓装置１と、を有する。洗面化粧台１００は、例えば住宅のバスルームに隣接した脱衣場等に設置され、洗面や手洗い等をするために湯水の吐水、貯水及び排水等が可能な設備である。なお、本明細書において洗面化粧台１００の奥側とは、洗面化粧台１００を設置する空間の壁面側を意味し、手前側とは、奥側に対向するとともに使用時に使用者が位置する側を意味する。また、左右方向とは、洗面化粧台１００を正面から視た場合の左右を言う。
【０００８】
ボウル部１１０は、凹部１１１と、上面部１１２と、後壁部１１３と、を有する。凹部１１１は、吐水される湯水を受け止める上部が開口した略直方体の形状を有する。上面部１１２は、凹部１１１の周縁に沿って形成される平坦な面であり、洗面化粧台１００の奥側から手前側、及び左右方向に延びる。後壁部１１３は、上面部１１２の奥側から上方へ向かって起立する。
【０００９】
キャビネット１２０は、洗面化粧台１００の設置面に設置され、ボウル部１１０を支持する収納棚である。キャビネット１２０は、複数の引き出し１２１と、戸棚１２２と、蹴込部１２３と、を有する。引き出し１２１は、洗面化粧台１００の奥側から手前側に引き出し可能な箱体で構成され、内部に物品を収納可能である。戸棚１２２は、内部に物品を収納可能な空間が形成されるとともに、この空間にボウル部１１０の下に配置される排水管が設置される。また、戸棚１２２の手前側には、扉１２２ａが取り付けられている。蹴込部１２３は、引き出し１２１及び戸棚１２２の手前側の表面よりも奥まった位置で、設置面まで上下方向に延びる面である。
【００１０】
水栓装置１は、吐水部２と、棚３と、液体収容部４（図２参照）と、を有する。
【００１１】
吐水部２は、ボウル部１１０の凹部１１１へ向けて湯水を吐水する装置であり、後壁部１１３の上部側に設けられている。吐水部２は、吐水栓２１と、吐水口２１ａと、レバー２２と、を有する。吐水栓２１は、略円筒状に形成されている。吐水栓２１は、一端が後壁部１１３の上部で給水源から延びる配管に接続され、他端がボウル部１１０へ向けてやや手前側へ傾斜するように突出して配置される。吐水口２１ａは、吐水栓２１の先端に形成された湯水を吐水する開口部である。レバー２２は、吐水栓２１から左右方向に離れた位置で、後壁部１１３の上部側に取り付けられている。レバー２２は、左右に操作することにより、吐水口２１ａから吐水される湯水の温度や水量を調整したり、シャワー吐水又は通常吐水の切り替え等を行ったりするように構成されている。
【００１２】
棚３は、吐水口２１ａの周囲の後壁部１１３の上部に取り付けられ、洗面化粧台１００の上面部を構成する平坦な部分である。棚３は、カウンター部３１と、カバー部３２と、取付部３３と、を有する。
【００１３】
カウンター部３１は、長方形の板状に形成され、物を載置できるように略水平に取り付けられる。
【００１４】
カバー部３２は、カウンター部３１の手前側の縁から下方に延びる面を有し、カウンター部３１の下側に取り付けられる。カバー部３２は、吐水栓２１やレバー２２等が後壁部１１３側に取り付けられる部分や、これらに接続される電気配線や配管等を覆い隠すカバーである。カバー部３２は、前面部３２１と、底面部３２２と、を有する。前面部３２１は、カウンター部３１の手前側の表面の下端から下方に延びる板状の面であり、カウンター部３１の下方を覆う。底面部３２２は、前面部３２１の下端から後壁部１１３側に向かう平坦な面である。
【００１５】
取付部３３は、図２に破線で示すように、カウンター部３１の上面に形成され、周囲から下方にくぼむ上部が開口した凹部である。取付部３３は、後述する液体収容部４を棚３に取り付けるように液体収容部４の形状に沿うとともに、液体収容部４よりもわずかに大きな寸法を有する。取付部３３の底面には、貫通孔３３ａが形成され、液体収容部４に収容された液体をカウンター部３１の下面から供給可能になっている。
【００１６】
図２は、第１実施形態に係る液体収容部４を示す棚３の部分斜視図である。液体収容部４は、例えば液体石鹸や化粧水、コンタクトレンズの洗浄液等、洗浄効果や美肌効果等の各種効果を奏する機能性の液体を収容可能な容器である。液体収容部４は、収容部本体４１と、液体収容部吐水栓４２とを有する。
【００１７】
収容部本体４１は、略直方体のプラスチック容器であり、カウンター部３１の上面に形成された取付部３３に取り付けられ、金具で固定される。収容部本体４１は、上面側に蓋のついた開口部が設けられ（図示省略）、液体を充填したり、開口から水を注いで内部を洗浄したりすることが可能である。図１及び図２に示すように、収容部本体４１は、細長いカウンター部３１の長手方向の一端側（例えば左側端部）に配置されている。
【００１８】
液体収容部吐水栓４２は、収容部本体４１の下面から下方に突出する吐水栓であり、液体収容部４内の液体の吐水及び止水を行う。液体収容部吐水栓４２は、液体吐出管４２１と、吐水部材４２２と、液体収容部吐水口４２３と、を有する。
【００１９】
液体吐出管４２１は、略円筒形の形状を有し、内部にバルブ及びバネが移動可能に設けられている。液体吐出管４２１は、棚３の取付部３３の貫通孔３３ａに挿入されて棚３の下方へ延びている。吐水部材４２２は、液体吐出管４２１の下端に配置され、上下に移動可能に取り付けられている。液体収容部吐水口４２３は、液体吐出管４２１及び吐水部材４２２両方を貫通する吐水口である。使用者が吐水部材４２２を指先で上方へ押圧することで、液体吐出管４２１の内部でバルブが移動して開弁される。収容部本体４１から下方に移動する液体は、液体吐出管４２１及び吐水部材４２２内を通過して液体収容部吐水口４２３から吐出される。液体収容部吐水栓４２の構成部品は、公知の構成を用いてよく、図示を省略する。
【００２０】
本実施形態によれば、以下の効果を奏する。本実施形態では、水栓装置１を、湯水を吐水する吐水口２１ａと、吐水口２１ａの周囲に取り付けられ、物を載置可能な棚３と、内部に液体を収容可能な液体収容部４を棚３に取り付ける取付部３３と、液体収容部４に設けられ、液体収容部４内の液体の吐水及び止水を行う液体収容部吐水栓４２と、を含んで構成した。吐水口２１ａの周囲に取り付けた棚３に、液体石鹸等の機能性の液体を収容した液体収容部４を取りつけることで、液体収容部４を棚３から外して内部を洗浄したり、所望の機能の液体を交換したり補充したりすることが容易になる。また、液体収容部４に液体収容部吐水栓４２を設けているので、液体収容部４を棚３に取り付けると同時に機能性の液体が吐出可能になる。さらに、液体収容部４を棚３に取り付けるため、液体収容部４を配置するための別途のスペースをボウル部１１０の周辺に設ける必要がなく、機能性の液体を供給する液体収容部４を省スペースで配置することができる。
【００２１】
本実施形態では、液体収容部４を、棚３の上面に取り付けた。このため、液体収容部４の着脱が容易である。
【００２２】
取付部３３に、貫通孔３３ａを形成し、液体収容部４から延びる液体吐出管４２１を挿入した。貫通孔３３ａに液体吐出管４２１を挿入するだけで、棚３と液体収容部４との位置合わせができるので、着脱が容易になる。
【００２３】
吐水口２１ａを、洗面化粧台１００の後壁部１１３に設けて湯水を吐水するように構成し、棚３を、後壁部１１３に取り付けた。棚３と吐水口２１ａとがともに後壁部１１３に取り付けられているので、洗面化粧台１００がコンパクトに構成される。機能性の液体は、液体石鹸や化粧水、コンタクトの洗浄液等、洗面化粧台１００の近傍で利用する液体であるため、利便性が向上する。
【００２４】
なお、本発明は上記実施形態に限定されるものではなく、本発明の目的を達成できる範囲での変形、改良等は本発明に含まれる。
【００２５】
図３は第２実施形態に係る棚３Ａの斜視図である。第２実施形態では、液体収容部４Ａは、棚３Ａの下面に取り付けられる点で第１実施形態と異なる。
【００２６】
詳細には、第２実施形態のカバー部３２Ａは、さらにレール部３２３を有する。レール部３２３は、カバー部３２Ａの底面部３２２に左右方向に間を空けて取り付けられる一対の金具である。レール部３２３は、左右対称の部材が相手側と向かい合うように配置される。レール部３２３は、底面部３２２に固定されて下方に延びるとともに、下端側で一対の相手側へ向かって屈曲する。
【００２７】
液体収容部４Ａは、略直方体形状の収容部本体４１の上部周縁に沿って形成されるリム部４１１を有する。リム部４１１は、液体収容部４Ａの収容部本体から外側に向けて延出する幅の小さな平坦な縁である。リム部４１１は、一対のレール部３２３の間に挿入されて、奥側から手前側への前後方向にスライド可能な寸法を有する。
【００２８】
第２実施形態の液体収容部４Ａでは、液体収容部吐水栓４２の液体吐出管４２１は収容部本体４１の内部に配置され、収容部本体４１の下面には、吐水部材４２２及び液体収容部吐水口４２３が露出している。
【００２９】
液体収容部４Ａは、一対のレール部３２３の間を前後にスライド移動させることで着脱される。液体収容部４Ａは、取り外した状態で、機能性の液体の補充や交換、液体収容部４Ａの洗浄等が行われ、また、一対のレール部３２３の間をスライド移動して取り付けられる。
【００３０】
第２実施形態によれば、液体収容部４が棚３の上面に配置されないことで、棚３の上面のスペースを有効に活用することができ、かつ機能性の液体を収容する液体収容部４Ａを棚３Ａに連結した状態で使用できるので、省スペース化することができる。
【００３１】
なお、上記実施形態では、棚３は、吐水口２１ａとともに後壁部１１３に取り付けられているが、これに限られない。吐水口を有する吐水部をボウル部側に固定した洗面化粧台において、棚を吐水部と離れた位置に取り付け、棚に液体収容部を取り付けてもよい。
【００３２】
また、上記実施形態では、液体収容部４は棚３の凹部に金具により固定されているが、これに限られない。凹部の底面と液体収容部の底面とに磁石を配置して、互いに引き合う磁極を有するように構成してもよい。液体収容部４を棚３に固定する方法は、特に限定されず、爪状の係合部を設ける等、自由に設計されてよい。
【００３３】
また、上記実施形態では、液体収容部吐水栓４２は、吐水部材４２２を指先で上方へ押圧することで液体が排出されるように機械的に構成されているが、これに限られない。液体収容部吐水栓を、水平方向にボタンを押すことで液体が排出されるように構成してもよいし、吐水装置の制御部を他の位置に配置して、赤外線センサ等で機能性の液体を吐出するように構成してもよい。
【００３４】
また、上記実施形態では、洗面化粧台を例に説明したが、これに限られない。吐水口の周囲に取り付けられる棚と、液体収容部と、液体収容部吐出口を有する水栓装置であればバスルームの水栓装置として用いてもよく、トイレ等の手洗いボウルの周囲に配置してもよい。また、図示の洗面化粧台には、上部キャビネットが配置されていないが、上部キャビネットを有するものでもよい。
【符号の説明】
【００３５】
１      水栓装置
３      棚
３３    取付部
３３ａ  貫通孔
４      液体収容部
２１ａ  吐水口
４２    液体収容部吐水栓
１１３  後壁部
４２１  液体吐出管
【図１】
2020153084.tif 000003
【図２】
2020153084.tif 000004
【図３】
2020153084.tif 000005